(57)【特許請求の範囲】
【請求項１】
木造建築の骨格を強化するテンションロッド（４１）の取り付け構造であって、
前記木造建築の骨格を構成する被強化材（５２）の側面には、収軸孔（５５）を設け、
該収軸孔（５５）には、前記テンションロッド（４１）の端部を引き留める係留軸（１４）を差し込み、
前記被強化材（５２）と前記係留軸（１４）との変位を規制するため、該係留軸（１４）の拘束手段を設けてあり、
該拘束手段は、前記被強化材（５２）の表面に配置する受け板（２３又は２４）と、該受け板（２３又は２４）から差し込み且つ前記係留軸（１４）に螺合する寄せボルト（３３）と、からなり、
該寄せボルト（３３）は、一本の該係留軸（１４）に対して複数本を用いており、且つ複数本の該寄せボルト（３３）は直交する二方向に配置してあることを特徴とするテンションロッドの取り付け構造。
【発明の詳細な説明】
【技術分野】
【０００１】
本発明は、木造建築の骨格において、部材同士を引き寄せるテンションロッドの取り付け構造に関する。
【背景技術】
【０００２】
テンションロッドは細長い金属棒で、鉄骨構造やプレハブ構造の筋交いとして広く使用されている。このテンションロッドは、圧縮荷重に対しては何らの効力も発揮しないが、引張荷重には強力に抵抗する。そのため、木造建築の骨格内に二本のテンションロッドを「Ｘ」状に配置すると、外力が作用した際、いずれか一本には引張荷重が作用し、骨格の変形が抑制される。このテンションロッドを用いた建築技術の例として、後記特許文献が挙げられる。
【０００３】
特許文献１では、倒壊時の粘り強さを増大させた木造建築物の耐震構造が開示されている。この耐震構造は、柱と横架材からなる格子状の骨格を補強するもので、隣接する二本の柱を結ぶ「つなぎ材」を配置したことを特徴とする。つなぎ材は、棒状の長尺金物の両端に当て金を一体化したもので、この当て金を柱の側面に接触させる。さらに当て金は、ボルトで柱に固定するほか、当て金と柱の間には、弾性シートを挟み込む。このように、つなぎ材を用いることで、柱の断面欠損を最小限に留めながら、二本の柱を強固に連結できるほか、長尺金物や弾性シートの変形により、倒壊時の粘り強さが増大する。加えて特許文献１では、テンションロッドを「Ｘ」状に二本配置することも開示されている。
【０００４】
特許文献２では、住宅の屋根部分を支持するトラス構造が開示されている。このトラス構造は、軽量化や組み立て作業の簡素化を目的とするもので、登り梁・水平梁・登り梁束・斜材などで構成される。そのうち登り梁は、屋根の勾配に沿って斜方向に伸び、また水平梁は、左右の登り梁の下端部同士を結び、登り梁束は、登り梁と水平梁を垂直に結び、斜材は、登り梁と水平梁を斜方向に結ぶ。さらに特許文献２では、個々の構成要素に作用する荷重を調査し、登り梁束と斜材の一部には、圧縮荷重が作用しないことに着目し、これらに丸鋼を切り出したブレース（テンションロッド）を用いたことを特徴とする。ブレースは、鋼材に比べて軽量で、しかもトラス構造への取り付けや張力の調整も容易で、組み立て作業の簡素化も実現する。
【先行技術文献】
【特許文献】
【０００５】
【特許文献１】特開２００１−２６９８４号公報
【特許文献２】特開平６−３０６９９１号公報
【発明の概要】
【発明が解決しようとする課題】
【０００６】
公共施設や商業施設のほか、倉庫や畜産施設などは、広大な室内空間を確保する必要があるほか、建築コストの削減要求も厳しく、通常、その骨格には鋼材を用いる。しかし近年は、森林資源の有効活用や、塗装（サビ止め）作業の簡素化や、室内環境の改善などの観点から、このような建築物についても、木造化の要望がある。その場合でも、建築コストの削減は重要で、広大な室内空間を確保した上で、部材の使用量や施工時の手間を削減する必要がある。そのため、柱や梁などの部材同士をテンションロッドで引き寄せ、部材に圧縮荷重や曲げモーメントを作用させ、骨格の剛性を高めることが多い。
【０００７】
このように、部材同士をテンションロッドで引き寄せる場合、仮にテンションロッドが脱落すると、部材の据え付けが不安定になり、建築物の破損を招く恐れがある。したがってテンションロッドは、部材と強固に取り付け、脱落を防ぐ必要がある。またテンションロッドには、常時張力が作用するため、部材との取り付け箇所では、部材が徐々に変形してテンションロッドが緩み、剛性が低下する恐れもある。
【０００８】
本発明はこうした実情を基に開発されたもので、部材からの脱落を防止でき、安全性に優れるほか、荷重による部材の経年変形にも配慮されたテンションロッドの取り付け構造の提供を目的としている。
【課題を解決するための手段】
【０００９】
前記の課題を解決するための請求項１記載の発明は、木造建築の骨格を強化するテンションロッドの取り付け構造であって、前記木造建築の骨格を構成する被強化材の側面には、収軸孔を設け、該収軸孔には、前記テンションロッドの端部を引き留める係留軸を差し込み、前記被強化材と前記係留軸との変位を規制するため、該係留軸の拘束手段を設けてあり、該拘束手段は、前記被強化材の表面に配置する受け板と、該受け板から差し込み且つ前記係留軸に螺合する寄せボルトと、からなり、該寄せボルトは、一本の該係留軸に対して複数本を用いており、且つ複数本の該寄せボルトは直交する二方向に配置してあることを特徴とするテンションロッドの取り付け構造である。
【００１０】
本発明における木造建築の骨格とは、柱や横架材など、各種棒状の木材を組み上げ、隣接する木材同士を強固に連結したものを想定している。さらに本発明では、骨格を強化するため、木材同士または木材と基礎コンクリートなどをテンションロッドで引き寄せ、緩みや変位を規制する。なおテンションロッドの配置は、様々な形態があり得るため、テンションロッドの一端が取り付けられる部材を便宜上、被強化材と称するものとする。したがって被強化材は、柱である場合もあれば、登り梁である場合もある。そして被強化材は、各種集成材を含む木材である。
【００１１】
係留軸は、テンションロッドの端部を引き留める円断面の金属棒で、被強化材に設けた収軸孔に差し込む。なお、係留軸とテンションロッドの取り付け方法は、自在に選択可能で、具体例としては、係留軸の外周面を貫く孔を設け、この孔にテンションロッドの端部を差し込み、さらにテンションロッドの端部にナットを螺合し、抜け止めとする形態が挙げられる。他にも、係留軸の外周面を貫くメネジを形成し、これにテンションロッドの端部を螺合させる形態や、係留軸の端部にクレビスを組み込み、このクレビスを介してテンションロッドを取り付ける形態など、様々である。
【００１２】
収軸孔は、係留軸を緩みなく収容可能な内径とする。これは、係留軸と収軸孔を面接触させることを目的としており、テンションロッドに作用する張力が被強化材に伝達する際の応力集中を回避できる。なお収軸孔を設ける位置は、被強化材のどの部位でも構わないが、通常は端部付近となる。ただしヒビ割れなどを避けるため、端面からは所定の距離を確保する。
【００１３】
テンションロッドは、一本の被強化材について、左右両側に計二本以上配置する場合もあれば、被強化材の側面中央に一本だけ配置する場合もある。仮にテンションロッドを左右両側に配置する場合、係留軸は、被強化材の横幅（収軸孔の全長）よりも長尺とし、係留軸の両端部を被強化材から突出させる。また、テンションロッドを一本だけ配置する場合、係留軸は、被強化材の横幅と同等の長さで構わないが、テンションロッドを係留軸に到達させるため、被強化材の側面から収軸孔に向けて連絡孔を設ける。
【００１４】
拘束手段は、係留軸と被強化材の変位を規制し、係留軸に作用する荷重を受け止め、収軸孔の内周面に作用する応力を緩和する役割を担う。なおこの応力を緩和するには、単純に係留軸の外径を大きくすればよい。ただしその場合、被強化材の断面欠損も増大し、強度上好ましくない。そこで係留軸の外径は必要最小限としながらも、拘束手段を用いて係留軸の変位を規制し、収軸孔の内周面に作用する応力を緩和する。
【００１５】
このように、係留軸を介してテンションロッドを被強化材に取り付けることで、テンションロッドに作用する張力は、被強化材の収軸孔の内周面で受け止められる。係留軸は、その構造上、被強化材から脱落することが難しく、必然的にテンションロッドの脱落も防止できる。また、係留軸の変位を規制する拘束手段を用いることで、収軸孔の内周面の応力が緩和され、より過大な張力にも対応できるほか、経年による内周面の陥没も防止できる。
【００１６】
拘束手段については、被強化材の表面に配置する受け板と、受け板から差し込み且つ係留軸に螺合する寄せボルトと、からなり、寄せボルトは、一本の係留軸に対して複数本を用いており、且つ複数本の寄せボルトは直交する二方向に配置してある。受け板は、被強化材の表面に接触させる金属板で、テンションロッドに作用する張力の一部を受け止める役割を担う。そのため受け板は、係留軸を挟み、テンションロッドの反対側に配置する。また受け板は、被強化材の端面と側面など、複数を異なる面に配置することになる。
【００１７】
寄せボルトは、受け板と係留軸を結び、荷重を伝達する役割を担い、受け板から係留軸の外周面に向けて差し込み、係留軸を受け板に引き寄せる。そのため係留軸の外周面には、寄せボルトを螺合できるよう、メネジを形成する。また、寄せボルトの軸部を差し込むため、被強化材には、あらかじめ収軸孔に到達する接続孔を設ける。このように、受け板と係留軸を寄せボルトで結ぶことで、テンションロッドに作用する張力の一部は、受け板で受け止められ、収軸孔の内周面に作用する応力を緩和できる。
【発明の効果】
【００１８】
請求項１記載の発明のように、被強化材の側面に収軸孔を設け、そこに係留軸を差し込み、この係留軸を介してテンションロッドを被強化材に取り付けることで、テンションロッドに作用する張力は、被強化材の収軸孔の内周面で受け止められる。係留軸は、その構造上、被強化材から脱落することが難しく、必然的にテンションロッドの脱落も防止でき、安全性に優れる。また、係留軸の変位を規制する拘束手段を用いることで、収軸孔の内周面の応力が緩和され、より過大な張力にも対応できるほか、経年による内周面の陥没（変形）を招くこともなく、係留軸の変位によるテンションロッドの緩みも生じない。
【００１９】
係留軸の変位を規制する拘束手段については、受け板と寄せボルトを用い、係留軸を受け板に引き寄せることで、受け板にも荷重が伝達され、収軸孔の内周面に作用する応力が緩和される。そのため、収軸孔の変形による係留軸の変位が規制され、経年によるテンションロッドの緩みを防止できる。この発明は、構成が単純でコスト面に優れる。また受け板は単純な形状で、その面積を変えることで、強度を自在に調整できる。さらに受け板は、他の部材との連結などに利用することもできる。
【図面の簡単な説明】
【００２０】
【図１】本発明によるテンションロッドの取り付け構造の具体例を示す斜視図で、登り梁の下端部にテンションロッドを取り付けることを想定しており、ここでは登り梁が被強化材となる。
【図２】図１の被強化材を柱に据え付け、且つ被強化材にテンションロッドを取り付けた状態を示す斜視図で、図の左上には、据え付けの途中段階を描いてある。
【図３】図１の被強化材などを用い、木造建築の骨格を組み上げた状態を示す斜視図で、図の上方には、合掌形状に組み上げた被強化材を描いてあり、図の下方には、これを用いた木造建築の骨格を描いてある。
【図４】図１と同様、登り梁の下端部にテンションロッドを取り付ける形態を示す斜視図だが、テンションロッドは一本だけになるほか、拘束手段として、受け板と寄せボルトを用いている。
【図５】図４の被強化材を柱に据え付け、且つ被強化材にテンションロッドを取り付けた状態を示す斜視図で、図の左上には、被強化材の縦断面を描いてある。
【図６】水平に伸びる横架材を被強化材とし、この端部を柱に据え付けるほか、テンションロッドの上端部を被強化材に取り付ける構成を示す斜視図で、拘束手段として、被強化材を跨ぐ冠体を用いている。
【図７】図６の被強化材を柱に据え付け、且つ被強化材にテンションロッドを取り付けた状態を示す斜視図で、図の左上には、据え付けの途中段階を描いてある。
【図８】横架材を被強化材とし、この端部を柱に据え付ける構成を示す斜視図で、拘束手段として、寄せボルトと二枚の受け板を用いるほか、クレビスを介してテンションロッドを取り付けている。
【図９】図８の被強化材を柱に据え付け、且つ被強化材にテンションロッドを取り付けた状態を示す斜視図で、図の左上には、据え付けの途中段階を描いてある。
【図１０】直立する柱を被強化材とするほか、拘束手段として冠体を用いる構成を示す斜視図で、係留軸には、計四本のテンションロッドを取り付け、さらに被強化材の上部側面には、対向するように二本の桁材を連結する。
【図１１】図１０の桁材を被強化材に据え付け、且つ被強化材に計四本のテンションロッドを取り付けた状態を示す斜視図で、図の左上には、被強化材に冠体と係留軸と金具を組み込んだ途中段階を描いてある。
【図１２】これまでの各図に描いた構成を用い、枠組を強化する方法の一例を示す斜視図である。
【図１３】拘束手段として受け板と寄せボルトを用い、クレビスを介してテンションロッドを取り付けるほか、柱の上面に被強化材と桁材を十字状に連結する構成を示す斜視図である。
【図１４】図１３の各要素を組み上げる途中段階を示す斜視図で、図の左上には、被強化材に係留軸や境界板などを取り付けた状態を描いてあり、図の右下には、被強化材に中心材と金具を取り付けた状態を描いてある。
【図１５】図１３の中心材と被強化材と桁材を柱に据え付けた状態を示す斜視図で、一本の被強化材と三本の桁材は、中心材の側面に引き寄せられ、真上から見て十字状に並ぶ。
【発明を実施するための形態】
【００２１】
図１は、本発明によるテンションロッド４１の取り付け構造の具体例を示し、登り梁の下端部にテンションロッド４１を取り付けることを想定しており、ここでは登り梁が被強化材５１となる。登り梁は、木造建築の屋根の骨格となる木材で、屋根の勾配に沿って斜方向に配置され、さらにその傾きを維持できるよう、下端部にテンションロッド４１を取り付け、内側に引き寄せる。なおテンションロッド４１は、被強化材５１の左右両側に計二本配置し、それぞれの端部を係留軸１１で引き留める。
【００２２】
係留軸１１は、円断面の金属棒で、被強化材５１の両側面を貫くように差し込む。なお係留軸１１は、被強化材５１の横幅よりも長く、係留軸１１の両端部は、被強化材５１の側面から突出する。また係留軸１１を差し込むため、被強化材５１には、両側面を貫く収軸孔５５を加工してある。収軸孔５５は、係留軸１１を隙間なく差し込み可能な内径に仕上げてある。そのほか、テンションロッド４１を差し込むため、係留軸１１の両端部には、外周面を貫く通し孔１６を形成してある。
【００２３】
被強化材５１の傾きを維持するテンションロッド４１は、二本とも水平方向に伸び、さらにテンションロッド４１の端部には、オネジ４２を形成してある。そのためテンションロッド４１の端部を係留軸１１の通し孔１６に差し込み、通し孔１６から飛び出した端部に終端ナット４４を螺合すると、テンションロッド４１が係留軸１１に取り付けられる。なお終端ナット４４の緩みを防ぐため、終端ナット４４を二個重ねるといった対策を講じることもある。
【００２４】
テンションロッド４１から係留軸１１に伝達する荷重は、収軸孔５５の内周面で受け止められるが、その面積は有限で応力が過大になり、時間の経過につれ、内周面に陥没やヒビ割れが生じる恐れがある。そこで係留軸１１の変位を規制する拘束手段として、補強リング２１を用い、収軸孔５５の内周面に作用する応力を緩和している。補強リング２１は、円筒管を切り出したような形状で、その内周面は、係留軸１１を隙間なく嵌め込み可能な内径としてあり、係留軸１１に作用した荷重を受け止める。
【００２５】
補強リング２１を埋め込むため、被強化材５１の側面には、収軸孔５５と同心で環状溝５６を加工してある。環状溝５６は、補強リング２１を圧入可能な内径とするほか、補強リング２１全体を収容可能な深さを確保してある。したがって補強リング２１は、完全に被強化材５１に埋め込まれ、テンションロッド４１に作用する張力の一部は、補強リング２１を介して環状溝５６の内周面に伝達される。
【００２６】
環状溝５６は、必然的に収軸孔５５よりも大径となり、その内周面の面積も増大するため、応力の緩和が実現する。さらに補強リング２１の外径や長さを調整することで、様々な荷重条件に対応できる。このように補強リング２１を用いることで、収軸孔５５の内径を必要最小限に抑制可能で、被強化材５１の断面欠損も抑制される。また環状溝５６は、その深さが限られるため、断面欠損も限定的となり、しかも加工が容易である。なお補強リング２１は、左右二箇所に配置するため、環状溝５６は、被強化材５１の両側面に加工する。
【００２７】
丸板３１は、被強化材５１の側面に取り付ける金属板で、その中心に係留軸１１を差し込み、補強リング２１の抜け止めとして機能する。また、丸板３１を被強化材５１に取り付けるため、ネジ釘３２を用いる。ネジ釘３２は、被強化材５１の内部に突き刺さり、ヒビ割れを防ぐ役割も担う。そのためネジ釘３２の本数を意図的に増やし、さらにネジ釘３２の延長を伸ばすこともある。なお丸板３１についても、被強化材５１の両側面に取り付ける。
【００２８】
被強化材５１（登り梁）を架空に設置するため、その下端部は、柱６１で受け止める。そのため被強化材５１の下面端部には、柱６１の上面に載る水平面５８を加工してある。当然ながら水平面５８は、被強化材５１の据え付け角度に基づいて加工してある。また柱６１と被強化材５１を連結するため、ホゾシャフト７１を用いる。ホゾシャフト７１は、円柱状の金属棒で、柱６１と被強化材５１の双方に加工したホゾ穴６４、７４を貫くように差し込む。なおホゾ穴６４、７４は、ホゾシャフト７１を緩みなく差し込める内径である。
【００２９】
ホゾシャフト７１をホゾ穴６４、７４に差し込んだ後、柱６１と被強化材５１の双方の側面から、ホゾシャフト７１に向けてドリフトピン６８を打ち込むと、ホゾシャフト７１を介して柱６１と被強化材５１が連結される。なおドリフトピン６８を差し込むため、ホゾシャフト７１の外周面には、ピン孔７８を形成してあるほか、柱６１と被強化材５１の側面には、ホゾ穴６４、７４と交差する横穴６５、７５を加工してある。横穴６５、７５とピン孔７８は、施工時に同心に揃うよう配慮してある。
【００３０】
図２は、図１の被強化材５１を柱６１に据え付け、且つ被強化材５１にテンションロッド４１を取り付けた状態を示すが、図の左上には、据え付けの途中段階を描いてある。被強化材５１の収軸孔５５に係留軸１１を差し込むと共に、環状溝５６に補強リング２１を嵌め込み、さらにネジ釘３２で丸板３１を取り付けると、図２の左上に描くように、被強化材５１の側面から係留軸１１の端部が突出する。この突出した部分には、通し孔１６が現れており、そこにテンションロッド４１を差し込む。また被強化材５１のホゾ穴７４には、ホゾシャフト７１を差し込み、ピン孔７８と横穴７５を同心に揃えた後、横穴７５からピン孔７８に向けてドリフトピン６８を打ち込み、ホゾシャフト７１を被強化材５１と一体化する。
【００３１】
被強化材５１にホゾシャフト７１を一体化した後、被強化材５１を吊り上げ、下方に突出するホゾシャフト７１を柱６１のホゾ穴６４に差し込み、さらに被強化材５１の水平面５８を柱６１の上面に載せると、被強化材５１が柱６１に仮置きされる。その後、柱６１の横穴６５にドリフトピン６８を打ち込むと、ホゾシャフト７１を介して柱６１と被強化材５１が連結される。そして、係留軸１１の通し孔１６にテンションロッド４１の端部を差し込み、通し孔１６から飛び出したオネジ４２に終端ナット４４を螺合させると、テンションロッド４１の取り付けが完了する。
【００３２】
このように、係留軸１１を介し、テンションロッド４１の端部を被強化材５１に取り付けることで、テンションロッド４１に作用する張力は、収軸孔５５および環状溝５６の双方の内周面で受け止められ、荷重の伝達箇所の面積が増大する。そのため、これらの内周面に作用する応力が緩和され、経年による係留軸１１の変位や、周辺のヒビ割れが抑制され、テンションロッド４１の脱落や緩みを防ぐことができる。
【００３３】
図３は、図１の被強化材５１などを用い、木造建築の骨格を組み上げた状態を示す。この骨格は、屋根を構成する被強化材５１（登り梁）を柱６１で支えたもので、また被強化材５１は、二本を合掌形状（中央が凸）に組み上げ、双方の下端部をテンションロッド４１で引き寄せ、所定の傾斜を維持する。そのため、被強化材５１の下端部に係留軸１１を差し込み、そこにテンションロッド４１の端部を取り付ける。さらに、合掌形状となった二本の被強化材５１の中央には、ターンバックル４８を配置し、両側から伸びるテンションロッド４１を接続する。そしてターンバックル４８を回転させ、テンションロッド４１に張力を与えると、二本の被強化材５１の下端部同士が引き寄せられる。なおテンションロッド４１は、被強化材５１の左右両側に配置するため、二列が平行に並ぶ。
【００３４】
図３上方に描くように、二本の被強化材５１を合掌形状に組み上げ、その下部にテンションロッド４１を取り付けた後、被強化材５１に下向きの荷重が作用すると、テンションロッド４１がこれに対抗し、被強化材５１の倒伏を防ぐ。またテンションロッド４１の張力を増大させると、被強化材５１がアーチ状に変形し、剛性が一段と向上する。このように、図３上方に描く二本の被強化材５１は、単独でも高い剛性を有し、その両端を支持するだけで架空に据え付けることができる。そのため、被強化材５１の下端部には、あらかじめホゾシャフト７１を組み込み、現地での施工作業を簡素化することもできる。なお二本の被強化材５１が接触する頂上部は、各種従来技術で双方を連結する。
【００３５】
施工時は、図３上方に描くように、あらかじめ二本の被強化材５１を合掌形状に組み上げる。また所定の位置に柱６１を直立させ、その後、組み上がった被強化材５１を吊り上げ、対向する柱６１の間に配置する。次に、柱６１の側面から内部のホゾシャフト７１に向けてドリフトピン６８を打ち込むと、図３下方に描くように、被強化材５１（登り梁）が架空に据え付けられる。なお、骨格全体の強度を確保するため、奥行き方向に隣接する柱６１や被強化材５１は、棟木４９や桁材６２で連結する。
【００３６】
図４は、図１と同様、登り梁の下端部にテンションロッド４１を取り付ける形態を示すが、テンションロッド４１は一本だけになるほか、拘束手段として、受け板２３と寄せボルト３３を用いている。図４においても、登り梁が被強化材５１となるが、テンションロッド４１は、被強化材５１の下方中央に一本だけ配置する。また係留軸１２についても、先の図１と同様、被強化材５１の側面に加工した収軸孔５５に差し込むが、その両端部を収軸孔５５から突出させる必要はなく、係留軸１２の長さは、被強化材５１の横幅と同等としてある。
【００３７】
テンションロッド４１を係留軸１２に取り付けるため、係留軸１２の中央には、外周面を貫くようにメネジ１７を形成してあり、これにテンションロッド４１のオネジ４２を螺合させる。さらに、テンションロッド４１を係留軸１２に到達させるため、被強化材５１の下斜面と収軸孔５５の間には、連絡孔５９を加工してある。連絡孔５９は、被強化材５１を所定の傾斜で据え付けた際、水平に伸びるよう調整してある。そのほか作図は省略するが、テンションロッド４１の緩みを防ぐため、オネジ４２にナットを螺合し、このナットを係留軸１２の外周面に接触させることもある。
【００３８】
拘束手段を構成する受け板２３と寄せボルト３３は、係留軸１２を挟み、テンションロッド４１の反対側に配置し、そのうち受け板２３は、被強化材５１の端面に接触させる。また寄せボルト３３は、受け板２３から係留軸１２に向けて差し込む。なお寄せボルト３３は、テンションロッド４１と同心に揃わないよう、被強化材５１の中央から離して左右に二本配置する。そのため受け板２３は横長の長円形で、その両端部には、寄せボルト３３の軸部を差し込む孔を形成してある。さらに係留軸１２には、寄せボルト３３と螺合する有底のネジ穴１８を左右二箇所に形成してある。そのほか、寄せボルト３３を係留軸１２に到達させるため、被強化材５１には、二本の接続孔５７を加工してある。
【００３９】
受け板２３から寄せボルト３３を差し込み、その先部を係留軸１２のネジ穴１８に螺合させると、係留軸１２が受け板２３に引き寄せられ、テンションロッド４１に作用する張力を受け板２３に伝達することができ、収軸孔５５の内周面の応力が緩和される。当然ながら、受け板２３の形状や、寄せボルト３３の配置などは、諸条件に応じて自在に決めて構わない。そのほか、被強化材５１を柱６１に据え付けるため、ホゾシャフト７１とドリフトピン６８を用いる点は、図１と同じである。
【００４０】
図５は、図４の被強化材５１を柱６１に据え付け、且つ被強化材５１にテンションロッド４１を取り付けた状態を示すが、図の左上には、被強化材５１の縦断面を描いてある。係留軸１２は、被強化材５１の収軸孔５５に差し込まれるほか、テンションロッド４１は、連絡孔５９を経て係留軸１２に螺合している。また、受け板２３と寄せボルト３３により、係留軸１２は、受け板２３の方に引き寄せられる。そのため、テンションロッド４１に作用する張力の一部は、受け板２３を介して被強化材５１の端面に伝達され、収軸孔５５の内周面の応力が緩和される。受け板２３は、どのような形状でも構わないが、係留軸１２を挟み、テンションロッド４１の反対側に配置する。
【００４１】
図５においても、被強化材５１を柱６１に据え付けるため、ホゾシャフト７１やドリフトピン６８を用いるが、これらが受け板２３や寄せボルト３３と接触しないよう、収軸孔５５は、ホゾ穴７４の先端よりも上に加工してある。また図５のように、テンションロッド４１を被強化材５１の下方に配置するほか、係留軸１２の全体を収軸孔５５に埋め込むことで、被強化材５１の両側面には、何らの突出物も存在しない。そのため、複数組の柱６１と被強化材５１を密着配置し、剛性を一段と高めることもできる。
【００４２】
図６は、水平に伸びる横架材を被強化材５２とし、この端部を柱６１に据え付けるほか、テンションロッド４１の上端部を被強化材５２に取り付ける構成を示し、拘束手段として、被強化材５２を跨ぐ冠体２７を用いている。この被強化材５２の端部付近には、両側面を貫く収軸孔５５を加工してあり、そこに係留軸１３を差し込む。またテンションロッド４１は、被強化材５２の左右両側に計二本配置する。そのため係留軸１３の両端部には、テンションロッド４１を差し込むための通し孔１６を形成してあり、通し孔１６から飛び出したテンションロッド４１のオネジ４２に終端ナット４４を螺合させ、テンションロッド４１を係留軸１３に取り付ける。
【００４３】
冠体２７は、被強化材５２の上部を跨ぐ「コ」の字状で、その両側面には、係留軸１３を緩みなく差し込み可能な側窓２８を形成してある。さらに、冠体２７を被強化材５２に組み込み、その内面全域を被強化材５２の表面に接触させた際、側窓２８は、収軸孔５５と同心に揃う。そのため係留軸１３は、被強化材５２の収軸孔５５のほか、冠体２７の側窓２８でも受け止められ、係留軸１３に作用する荷重の一部は、冠体２７を介して被強化材５２の表面（上面）に伝達される。このように冠体２７を用いることで、収軸孔５５の内周面の応力が緩和される。当然ながら冠体２７は、係留軸１３を挟み、テンションロッド４１と対向するように配置する。
【００４４】
係留軸１３は、収軸孔５５や側窓２８で緩みなく保持されるが、テンションロッド４１の引き伸ばし方向を調整できるよう、係留軸１３は自在に回転可能である。また図６では、斜めに伸びるテンションロッド４１の上端部を係留軸１３に取り付ける。そのため冠体２７は、被強化材５２の上面側に組み込む。しかしこれとは逆に、テンションロッド４１の下端部を係留軸１３に取り付ける場合、冠体２７は、被強化材５２の下面側に組み込む。
【００４５】
図７は、図６の被強化材５２を柱６１に据え付け、且つ被強化材５２にテンションロッド４１を取り付けた状態を示すが、図の左上には、据え付けの途中段階を描いてある。被強化材５２の端部は、柱６１の上面に載り、Ｌ字状の連結部が構成されるほか、被強化材５２の上面に冠体２７が載り、さらに係留軸１３は、被強化材５２の収軸孔５５と冠体２７の側窓２８を貫き、その両端部が外部に突出している。また、計二本のテンションロッド４１は平行に並び、係留軸１３から斜め下方に伸びている。そのため、テンションロッド４１に作用する張力のうち、下向きの分力の一部は、冠体２７で受け止められる。なお図示は省略するが、冠体２７から被強化材５２に向けて釘類を打ち込むならば、テンションロッド４１に作用する張力の水平分力についても、冠体２７で受け止めることができる。そのほか柱６１と被強化材５２は、ホゾシャフト７１とドリフトピン６８を介して連結されている。
【００４６】
図８は、横架材を被強化材５２とし、この端部を柱６１に据え付ける構成を示し、拘束手段として、寄せボルト３３と二枚の受け板２３、２４を用いるほか、クレビス３４を介してテンションロッド４１を取り付けている。図８では、斜めに伸びるテンションロッド４１の上端部を係留軸１４に取り付け、また受け板２３、２４は、あらゆる方向の荷重に対応できるよう、被強化材５２の上面と端面に計二枚配置してある。なお、寄せボルト３３の配置を考慮し、上面に配置する受け板２３は長円形で、端面に配置する受け板２４は円形としてある。そのほか寄せボルト３３に対応し、係留軸１４の外周面には、計三箇所にネジ穴１８を形成してある。
【００４７】
図８では、係留軸１４に寄せボルト３３を螺合しており、係留軸１４は回転不能で、そのままでは、テンションロッド４１の引き伸ばし方向を調整できない。そこでテンションロッド４１は、クレビス３４を介して係留軸１４に取り付ける。クレビス３４は、係留軸１４を差し込むための大穴３５が形成され、係留軸１４に対して自在に揺動可能で、併せて、テンションロッド４１を差し込むため、通し孔３６も形成してある。そのほかクレビス３４の脱落を防ぐため、円盤状のストッパ３８と、これを押圧する止めボルト３９を用いている。止めボルト３９に対応し、係留軸１４の端面中心には端ネジ１９を形成してあり、ストッパ３８は、係留軸１４の端面に取り付けられる。なおクレビス３４などは、係留軸１４の両端部に取り付け、被強化材５２の左右両側に計二本のテンションロッド４１を配置する。
【００４８】
図９は、図８の被強化材５２を柱６１に据え付け、且つ被強化材５２にテンションロッド４１を取り付けた状態を示すが、図の左上には、据え付けの途中段階を描いてある。被強化材５２の端部は、柱６１の上面に載り、Ｌ字状の連結部が構成されるほか、被強化材５２には、クレビス３４を介し、左右両側に計二本のテンションロッド４１が取り付けられている。また係留軸１４は、二枚の受け板２３、２４で図の左上方向に引き寄せられ、テンションロッド４１に作用する張力の一部は、受け板２３、２４で受け止められる。
【００４９】
係留軸１４の両端部は、被強化材５２の側面から突出し、そこにクレビス３４を差し込んである。そして、クレビス３４の通し孔３６にテンションロッド４１を差し込み、さらに終端ナット４４でテンションロッド４１の脱落を防いでいる。なおクレビス３４は、ストッパ３８で規制され、係留軸１４から脱落不能だが、係留軸１４に対して自在に揺動可能で、テンションロッド４１をあらゆる方向に引き伸ばすことができる。そのほか柱６１と被強化材５２は、ホゾシャフト７１とドリフトピン６８を介して連結されている。
【００５０】
図１０は、直立する柱を被強化材５３とするほか、拘束手段として冠体２７を用いる構成を示し、係留軸１５には、計四本のテンションロッド４１を取り付け、さらに被強化材５３の上部側面には、対向するように二本の桁材６２を連結する。桁材６２は、被強化材５３の上部側面から水平に伸びる部材で、金具８１を介して被強化材５３に連結される。なお金具８１は「コ」の字状で、その中央面には丸ホゾ８４を形成してあり、これを被強化材５３の側面に加工したホゾ溝５４に嵌め込むことで、金具８１の変位を規制するほか、各種荷重を伝達する。
【００５１】
金具８１は、被強化材５３を挟むように二個配置し、さらに金具８１を被強化材５３に固定するため、固定ボルト８８と固定ナット８９を用いる。固定ボルト８８は、一方の金具８１の裏側から差し込み、丸ホゾ８４の中心を通り、被強化材５３に加工した先方孔８７を抜け、対向する金具８１に到達させる。そして固定ボルト８８の先部に固定ナット８９を螺合させ、これらを締め付けると、二個の金具８１は、被強化材５３に密着して固定される。そのほか桁材６２の端部には、金具８１を差し込むため、二列のスリット６６を加工してあり、桁材６２の側面には、ドリフトピン６８を打ち込むための横穴６５を加工してある。横穴６５は、スリット６６と交差して反対面に到達する。またドリフトピン６８を通すため、金具８１には、ピン孔８５とピン溝８６を形成してある。
【００５２】
収軸孔５５は、固定ボルト８８との接触を避けるため、上下二箇所の先方孔８７の間に加工してある。また冠体２７は、被強化材５３の断面形状に応じた大きさで、その側窓２８は収軸孔５５と同心に揃う。そして図１０では、係留軸１５の一端部において、引き伸ばし方向の異なる二本のテンションロッド４１を取り付けるため、係留軸１５の両端部に通し孔１６を形成することに加え、クレビス３４も使用する。係留軸１５は、収軸孔５５に対して回転可能で、さらにクレビス３４は、係留軸１５に対して揺動可能で、あらゆる方向にテンションロッド４１を引き伸ばすことができる。
【００５３】
図１１は、図１０の桁材６２を被強化材５３に据え付け、且つ被強化材５３に計四本のテンションロッド４１を取り付けた状態を示すが、図の左上には、被強化材５３に冠体２７と係留軸１５と金具８１を組み込んだ途中段階を描いてある。図１１の被強化材５３は、垂直に伸びる柱で、その上端部に冠体２７を載せてある。また係留軸１５の両端部は、冠体２７から突出しており、そこにクレビス３４を差し込み、さらに係留軸１５とクレビス３４の双方の通し孔１６、３６には、テンションロッド４１を取り付ける。そのほか、対向する二本の桁材６２は、金具８１とドリフトピン６８を介して被強化材５３に連結される。
【００５４】
図１２は、これまでの各図に描いた構成を用い、枠組を強化する方法の一例を示す。この枠組は、水平に伸びる二本の被強化材５２（横架材）と、中央で垂直に伸びる一本の被強化材５３（柱）と、下方で水平に伸びる二本の下枠材４６と、左右両端で垂直に伸びる側枠材４７と、からなり、いずれの部材とも断面形状は共通だが、テンションロッド４１を取り付ける部材に限り、被強化材５２、５３と称するものとする。またテンションロッド４１は、枠組の左上と中央下を結ぶものと、右上と中央下を結ぶものがあり、全体でＶ字状に配置するほか、枠組の表裏に計二列配置する。そしてテンションロッド４１を取り付けるため、被強化材５２、５３には、収軸孔５５や環状溝５６や接続孔５７を加工してある。
【００５５】
枠組の左上角には、クレビス３４を介してテンションロッド４１を取り付ける。このクレビス３４を支える係留軸１４は、二枚の受け板２３、２４に引き寄せられ、テンションロッド４１に作用する張力は、被強化材５２の表面でも受け止められる。また枠組の右上角では、係留軸１１に補強リング２１を併用し、応力を緩和している。なおここでは、クレビス３４を用いることなく、係留軸１１の外周面にテンションロッド４１を差し込んでいる。そして枠組の中央下では、被強化材５３の下端部に冠体２７を嵌め込み、双方を貫くように係留軸１５を差し込んでいる。ここでは二方向のテンションロッド４１が集積しており、その一方はクレビス３４に取り付け、他方は係留軸１５の外周面に差し込んでいる。
【００５６】
枠組の中には、二本のテンションロッド４１を接続するターンバック４８を配置してあり、ターンバックル４８を回転させてテンションロッド４１を引き寄せると、枠組に圧縮荷重が発生し、剛性が向上する。なお二方向のテンションロッド４１が集積する中央下では、張力の水平分力が打ち消され、係留軸１５には上向きの荷重が作用するが、これは冠体２７で受け止められる。そのほか、枠組を構成する各部材同士は、様々な従来技術で連結してある。また、テンションロッド４１に螺合する終端ナット４４など、一部の部品は、作図を省略している。
【００５７】
図１３は、拘束手段として受け板２３と寄せボルト３３を用い、クレビス３４を介してテンションロッド４１を取り付けるほか、柱６１の上面に被強化材５２と桁材６２を十字状に連結する構成を示す。図１３では、水平に伸びる横架材を被強化材５２としており、これを柱６１の上面に載せる。また被強化材５２の収軸孔５５に係留軸１４を差し込み、その両端部にクレビス３４を組み込み、左右両側に計二本のテンションロッド４１を取り付ける。さらに係留軸１４を引き寄せるため、被強化材５２の上面には、長円形の受け板２３を配置し、ここから係留軸１４のネジ穴１８に向け、寄せボルト３３を差し込む。そのほか被強化材５２の端面には、矩形状の境界板２５を配置する。境界板２５は、被強化材５２の端面と同じ大きさで、皿ネジ２９で被強化材５２に固定する。
【００５８】
中心材６３は、被強化材５２や桁材６２を柱６１に据え付けるための部材で、ホゾシャフト７１とドリフトピン６８を介して柱６１の上面に固定する。なお、柱６１は矩形断面であるのに対し、中心材６３は正方形断面で、被強化材５２の端部下面は、柱６１の上面に載り、境界板２５は中心材６３の側面に接触する。また桁材６２は、被強化材５２の反対側のほか、これに直交する二方向にも配置し、計三本用いる。したがって真上から見ると、被強化材５２と桁材６２は十字状に配置される。そして桁材６２は、金具８１、８２を介して中心材６３の側面に連結されるが、金具８１、８２は、固定ボルト８８や寄せボルト９０で中心材６３に密着させる。その際、中心材６３の内部で、固定ボルト８８や寄せボルト９０が接触しないよう、丸ホゾ８４の配置が異なる二種類の金具８１、８２を用いており、一方（金具８１）は丸ホゾ８４が上寄りで、他方（金具８２）は丸ホゾ８４が下寄りである。これらの丸ホゾ８４に対応し、中心材６３の各側面には、所定の位置にホゾ溝６９を加工してある。
【００５９】
被強化材５２と対向する金具８１は、固定ボルト８８と寄せボルト９０を用い、中心材６３に密着させる。そのうち寄せボルト９０は、中心材６３の先方孔８７から境界板２５を抜け、被強化材５２の接続孔５７を経て、係留軸１４のネジ穴１８に螺合し、係留軸１４を境界板２５の方に引き寄せる。また、寄せボルト９０の下の固定ボルト８８は、中心材６３を経て境界板２５のネジ孔２６に螺合する。これに対し、被強化材５２と直交する二個の金具８２は、中心材６３を貫く固定ボルト８８と、これに螺合する固定ナット８９により、中心材６３に密着する。そして個々の桁材６２は、その横穴６５から差し込むドリフトピン６８により、金具８１、８２と一体化する。
【００６０】
図１４は、図１３の各要素を組み上げる途中段階を示し、図の左上には、被強化材５２に係留軸１４や境界板２５などを取り付けた状態を描いてあり、図の右下には、被強化材５２に中心材６３と金具８１、８２を取り付けた状態を描いてある。被強化材５２には、まず係留軸１４と受け板２３と境界板２５を取り付け、次に境界板２５を中心材６３の側面に接触させると共に、中心材６３の残る三側面には、金具８１、８２を配置する。併せて中心材６３の中心を貫くホゾ穴６４には、ホゾシャフト７１を差し込む。そして最後に、固定ボルト８８や寄せボルト９０を差し込み、これらを固定ナット８９などに螺合させると、金具８１、８２は、中心材６３の側面に密着する。なお固定ボルト８８や寄せボルト９０は、ホゾシャフト７１のピン孔７８を通過するため、ホゾシャフト７１も中心材６３に固定される。
【００６１】
図１５は、図１３の中心材６３と被強化材５２と桁材６２を柱６１に据え付けた状態を示し、一本の被強化材５２と三本の桁材６２は、中心材６３の側面に引き寄せられ、真上から見て十字状に並ぶ。また被強化材５２と中心材６３は、柱６１の上面に載り、さらに柱６１と中心材６３は、ホゾシャフト７１とドリフトピン６８を介して連結されている。そしてテンションロッド４１は、係留軸１４とクレビス３４を介し、被強化材５２の両側面に計二本配置されている。このように本発明は、建築物の骨格において、あらゆる箇所にテンションロッド４１を取り付けることができ、骨格全体の剛性を高め、建築物の安全性の向上に寄与する。
【符号の説明】
【００６２】
１１  係留軸（補強リングと併用）
１２  係留軸（寄せボルトと併用・メネジあり）
１３  係留軸（冠体と併用）
１４  係留軸（寄せボルトと併用・両端にストッパを取り付け）
１５  係留軸（冠体と併用・計四本のテンションロッドを保持）
１６  通し孔（係留軸側）
１７  メネジ
１８  ネジ穴
１９  端ネジ
２１  補強リング（拘束手段）
２３  受け板（拘束手段・長円形）
２４  受け板（拘束手段・円形）
２５  境界板
２６  ネジ孔
２７  冠体（拘束手段）
２８  側窓
２９  皿ネジ
３１  丸板
３２  ネジ釘
３３  寄せボルト（拘束手段）
３４  クレビス
３５  大穴
３６  通し孔（クレビス側）
３８  ストッパ
３９  止めボルト
４１  テンションロッド
４２  オネジ
４４  終端ナット
４６  下枠材
４７  側枠材
４８  ターンバックル
４９  棟木
５１  被強化材（登り梁）
５２  被強化材（横架材）
５３  被強化材（柱）
５４  ホゾ溝（被強化材側）
５５  収軸孔
５６  環状溝
５７  接続孔
５８  水平面
５９  連絡孔
６１  柱（被強化材ではないもの）
６２  桁材
６３  中心材
６４  ホゾ穴（被強化材ではない側）
６５  横穴（被強化材ではない側）
６６  スリット
６８  ドリフトピン
６９  ホゾ溝（中心材側）
７１  ホゾシャフト
７４  ホゾ穴（被強化材側）
７５  横穴（被強化材側）
７８  ピン孔（ホゾシャフト側）
８１  金具
８２  金具（丸ホゾを下寄りに配置したもの）
８４  丸ホゾ
８５  ピン孔（金具側）
８６  ピン溝
８７  先方孔
８８  固定ボルト
８９  固定ナット
９０  寄せボルト
【図１】
0006667273.tif 000002
【図２】
0006667273.tif 000003
【図３】
0006667273.tif 000004
【図４】
0006667273.tif 000005
【図５】
0006667273.tif 000006
【図６】
0006667273.tif 000007
【図７】
0006667273.tif 000008
【図８】
0006667273.tif 000009
【図９】
0006667273.tif 000010
【図１０】
0006667273.tif 000011
【図１１】
0006667273.tif 000012
【図１２】
0006667273.tif 000013
【図１３】
0006667273.tif 000014
【図１４】
0006667273.tif 000015
【図１５】
0006667273.tif 000016